【事件の表示】
　特願２００５−１４４１７９「記録用光ディスクの再生装置および再生方法」拒絶査定不服審判事件〔平成１７年９月２日出願公開、特開２００５−２３５３９５〕について、次のとおり審決する。
【結　論】
　本件審判の請求は、成り立たない。
【理　由】
第１　手続の経緯
　本件審判の請求に係る特許出願（以下、「本願」という。）は、平成１１年５月１８日に出願した特願平１１−１３７６４６号の一部を平成１７年５月１７日に新たな特許出願としたものであって、平成１８年６月２１日付けの拒絶理由通知に対して、同年８月２８日付けで手続補正がされたが、同年９月２２日付けで拒絶査定がされ、これに対し、同年１０月２６日付けで拒絶査定不服審判が請求されるとともに、同年１１月２４日付けで手続補正がされたものである。
　そして、平成２０年９月２４日付けで審尋が送付され、これに対し、同年１２月１日付けで回答書が提出されたものである。
　
第２　平成１８年１１月２４日付けの手続補正についての補正却下の決定
［補正却下の決定の結論］
　平成１８年１１月２４日付けの手続補正を却下する。
　
［理由］
１．補正後の本願発明
　平成１８年１１月２４日付け手続補正（以下、「本件補正」という。）は、特許請求の範囲の請求項１、２、及び明細書についてするもので、そのうち特許請求の範囲の請求項１及び２については、
「【請求項１】
　予め周期的に蛇行した記録用溝が形成され、蛇行に基づいて記録用アドレスが決定され、記録用溝に記録されたピット情報からデータを光学的に再生する記録用光ディスクの再生装置において、
　回転駆動のためのスピンドル制御モードを、記録用溝の蛇行に基づくＡＤＩＰサーボ、またはピット情報に基づくＥＦＭサーボに切換え可能なスピンドルモータによって回転駆動される記録用光ディスクから、
光ピックアップによって
　記録用光ディスクの再生開始時に、スピンドルモータのスピンドル制御モードをＡＤＩＰサーボに設定し、再生中にエラー検出回路がエラーを検出する場合に、スピンドルモータのスピンドル制御モードをＥＦＭサーボに切換え、さらに光ピックアップによって再読取り動作を行うように制御するとともに、前記スピンドル制御モードをＥＦＭサーボに切換えた後の再読取り動作で、前記エラー検出回路がエラーを検出するとき、該スピンドル制御モードをＡＤＩＰサーボに
切換た後、さらに前記再読取り動作とは異なる処理であって読み飛ばしの回避処理を行う
【請求項２】
　予め周期的に蛇行した記録用溝が形成され、蛇行に基づいて記録用アドレスが決定され、記録用溝に記録されたピット情報からデータを光学的に再生する記録用光ディスクの再生方法において、
　回転駆動のためのスピンドル制御モードを、記録用溝の蛇行に基づくＡＤＩＰサーボ、またはピット情報に基づくＥＦＭサーボに切換え可能なスピンドルモータによって回転駆動される記録用光ディスクの再生開始時に、スピンドルモータのスピンドル制御モードをＡＤＩＰサーボに設定し、
　スピンドルモータによって回転駆動される記録用光ディスクから、
光ピックアップによって
　再生中にエラーが検出された場合に、スピンドルモータのスピンドル制御モードをＥＦＭサーボに切換え、再読取り動作を行うように制御し、
　スピンドル制御モードをＥＦＭサーボに切換えた後の再読取り動作で、エラーが検出されると、該スピンドル制御モードをＡＤＩＰサーボに
切換た後、さらに前記再読取り動作とは異なる処理であって読み飛ばしの回避処理を行うように制御
と補正するものである。
　
　上記補正は、請求項１及び２において、発明を特定するために必要な事項について「光ピックアップによって光学的に再生されるデータ」及び「ＡＤＩＰサーボに切換た後、さらに前記再読取り動作とは異なる処理であって読み飛ばしの回避処理を行うように制御する」なる限定を追加するものであるから、請求項１及び２についての補正は、平成１８年法律第５５号改正附則第３条第１項によりなお従前の例によるとされる同法による改正前の特許法第１７条の２第４項第２号に掲げる特許請求の範囲の減縮を目的とするものに該当する。
　
　そこで、本件補正後における特許請求の範囲の請求項２に記載されている事項により特定される発明（以下、「本願補正発明」という。）が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）否かについて、以下に検討する。
　
　なお、本願補正発明における「読み飛ばしの回避処理」とは、「読み飛ばしを回避する処理」とも解されるが、発明の詳細な説明の記載（段落【００２７】等）からみて、「読み飛ばすことによって（無限ループ入りを）回避する処理」を意味するものと解される。
　
２．引用例
　原査定の拒絶の理由に引用された、本願出願前に頒布された刊行物である特開平８−１１５５６３号公報（以下、「引用例」という。）には、図面とともに以下の技術事項が記載されている。（下線は当審で付した。）
　
　（ａ）「【０００１】
【産業上の利用分野】
本発明は例えばＭＤ（ミニディスク）プレーヤ等のディスク装置に関するものである。
　（ｂ）「【０００６】この発明は、ディスクの回転制御が確実にかつ誤作動なく行うことのできるディスク装置を得ることを目的とする。」
　（ｃ）「【００２１】
【実施例】
実施例１．図１は実施例１におけるディスク装置としてのＭＤプレーヤを示すブロック図である。この図において、１０１はＭＤディスク、１０２はレーザ光の焦点を合わせる対物レンズ、１０３はディスク１０１上の信号をレーザ光によって読み出す光ピックアップ、
１０４は光ピックアップ１０３で読み出された信号から、レーザ光の正確なトレースに必要なサーボ信号とデータ再生のためのＲＦ信号を出力するＲＦアンプである。
【００２２】
１０８はＭＤでも特に録音・再生用の光磁気ディスク（ＭＯ（マグネット・オプティカル）ディスク）に予め刻まれているプリグルーブという溝から得られるＡＤＩＰ（アドレス・イン・プリグルーブ）信号を復調して、時間情報や回転サーボ用の信号を取り出すＡＤＩＰアドレスデコーダ
【００２３】ここで、ＭＤに音楽情報が記憶されている場合には、光ピックアップ１０３による読み取り速度に対して約５分の１に圧縮されて記録されているので、通常に読み取った場合にはこの読み取りに使用した時間の約５倍の時間再生することができる。そこで、ある程度のデータを予めＤＲＡＭ１１１（後述）に蓄えるようにしている。１１１は耐振用メモリコントローラ１１０からの信号や再生中のディスクのデータ管理情報、付随情報等が記憶される記録手段としてのＤＲＡＭ（ダイナミック・ランダム・アクセス・メモリ）である。ここで、ＤＲＡＭは安価で高容量であるが、メモリを保持するために電流を供給する必要がある。
【００２４】ここで、付随情報とはディスクタイトルやトラックタイトルのキャラクタ情報等である。１１２は耐振用メモリコントローラ１１０から入力される約５分の１に圧縮された信号を伸長し、Ｄ／Ａコンバータ１１３に出力する音声圧縮デコーダである。１１４はこのＭＤプレーヤを入力キー１１５からの信号等によって制御し、また、表示部１１６に情報を表示するシステムコントローラである。」
　（ｄ）「【００２８】図３は実施例１を示す図１のディスクの回転制御に関する部分を詳しく説明したブロック図である。この図において、
１０９ａはＲＦアンプ１０４から出力される信号を復調するＥＦＭデコーダである。
【００２９】１０９ｃはシステムコントローラ１１４からの指令に従って、ＥＦＭデコーダ１０９ａもしくはＡＤＩＰアドレスデコーダ１０８の出力を切り換えて回転サーボ信号生成回路１０９ｄ（後述）に出力する切換手段としての切換回路である。１０９ｄは切り換え回路１０９ｃからの出力を基に回転サーボ用の信号を生成する回転サーボ信号生成回路である。従って、ＲＦ信号デコーダ１０９はＥＦＭデコーダ１０９ａとＣＩＲＣデコーダ１０９ｂと切換回路１０９ｃと回転サーボ信号生成回路１０９ｄとから構成されている。
【００３０】次に動作について、図４を用いて説明する。Ｓ１０００で光ディスク１０１の再生が開始されると、Ｓ１００１ではシステムコントローラ１１４からの指令に従い、切換回路１０９ｃがＡＤＩＰアドレスデコーダ１０８から出力されるウォブル信号を回転サーボ信号生成回路１０９ｄに出力するように切り換える。Ｓ１００２では、切換回路１０９ｃから出力された信号が回転サーボ信号生成回路１０９ｄからサーボ制御回路１０５に送られ、このサーボ制御回路１０５によりスピンドルモータ１０７が制御される。そして、光ディスク１０１を回転させ、光ピックアップ１０２によるデータの読み取りが開始される。
【００３１】次に、Ｓ１００３ではＣＩＲＣデコーダ１０９ｂを経て耐振用メモリコントローラ１１０に入力されたデータ中にデータエラーが存在するかどうかに関する情報が、耐振用メモリコントローラ１１０からシステムコントローラ１１４に出力され、データエラーが存在する場合にはＳ１００４へ進み、データエラーが存在しない場合にはＳ１００６へ進む。Ｓ１００４では切換回路１０９ｃにおいてＥＦＭデコーダ１０９ａから出力される基本クロックを回転サーボ信号生成回路１０９ｄに出力するように切り換えられる。そして、Ｓ１００５ではエラーの検出されたデータの先頭位置に光ピックアップが移動され、再び、Ｓ１００２においてデータの読み取りが行われる。
【００３２】Ｓ１００６では、システムコントローラ１１４において光ディスク１０１の再生を終了するかどうかが判断され、終了するのであれば、Ｓ１００８へ進み、もし、終了しないのであればＳ１００７へ進む。Ｓ１００７では次のデータ位置まで光ピックアップ１０３を移動させ、Ｓ１００２において次のデータ位置からデータの読み取りが行われる。
【００３３】この実施例１においては以上のように、
エラーがある時にのみ基本クロックによって回転サーボを制御するものであるので、通常はウォブリング信号を用いていて、必要のあるときのみに基本クロックを用いて回転サーボを制御することができる。
【００３４】また、通常のデータ読み取り時ではなく、エラーの検出されたデータの先頭位置までピックアップを移動する際に回転サーボの信号源の切り換えを行うものであるので、回転サーボの不用意な切り換えによる誤動作を防ぐことができる。
【００３５】実施例２．
図５は実施例２を示すフローチャートである。この図において、Ｓ１１００で光ディスク１０１の再生を開始すると、Ｓ１１０１ではシステムコントローラ１１４からの指令に従い、切換回路１０９ｃがＡＤＩＰアドレスデコーダ１０８から出力されるウォブル信号を回転サーボ信号生成回路１０９ｄに出力するように切り換える。Ｓ１１０２では同じデータ位置で繰り返して読み取りすることのできる回数（図中Ｎで示す）を初期値ＮＲとする。Ｓ１１０３では切換回路１０９ｃから出力された信号が回転サーボ信号生成回路１０９ｄからサーボ制御回路１０５に送られ、このサーボ制御回路１０５がスピンドルモータ１０７を制御して、光ディスク１０１を回転させる。そして、光ピックアップ１０２によるデータの読み取りが開始される。
【００３６】
次にステップ１１０４ではＣＩＲＣデコーダ１０９ｂを経て耐振用メモリコントローラ１１０に入力されたデータ中にデータエラーが存在するかどうかに関する情報が、エラー検出手段及びリトライ信号出力手段としての耐振用メモリコントローラ１１０からシステムコントローラ１１４に出力され、データエラーが存在する場合にはＳ１１０５へ進み、データエラーが存在しない場合にはＳ１１１０へ進む。Ｓ１１０５ではデータ読み取りを行ったことを示すためにＮをＮ−１とする。Ｓ１１０６ではＮ＝０であれば、同一データを所定回数ＮＲだけ繰り返して再生したにも拘らずデータエラーが存在したと判断してＳ１１０７へ進み、Ｎ＝０でなければＳ１１０９へ進む。Ｓ１１０７ではサーボ制御回路１０５で用いられる回転サーボ用の信号の信号源を切換回路１０９ｃで切り換えてＥＦＭデコーダ１０９ａから出力される基本クロックとする。Ｓ１１０８ではＮを再び初期値ＮＲとする。Ｓ１１０９ではエラーの検出されたデータ位置の先頭位置（リトライ位置）に光ピックアップを移動させ、再びＳ１１０３で同じデータ位置のデータの読み取り（リトライ）が行われる。
【００３７】次に、Ｓ１１１０ではシステムコントローラ１１４からデータの読み取りの終了の指示があればＳ１１１２へ進み、読み取りを終了する。また、終了指示がなければＳ１１１１へ進み、次のデータ位置に光ピックアップ１０３を移動し、Ｓ１１０２から再びデータの読み取り動作が行われる。
その他の構成及び動作は実施例１と同様である
【００３８】この実施例２においては、同じ回転サーボ用信号によって所定回数同じ位置のデータの読み取りを行うので、不用意な回転サーボ信号の切り換えをなくすことができる。
【００３９】実施例３．
図６は実施例３を示すフローチャートである。この実施例３においては、耐振用に設けられているＤＲＡＭ１１１に記録されているデータの残量に応じて処理を変えるものである。図６において、Ｓ１２０１ではＳ１１０４においてエラーがないと判断されたデータをＤＲＡＭ１１１に書き込み、次のＳ１１１０へと進む。また、Ｓ１２０２ではＤＲＡＭ１１１に書き込まれているデータの残量をチェックし、残量が所定量あればＳ１１０５へ進み、残量が残り少なくなっていたら、Ｓ１１１０へ進み、このデータ位置でのデータの読み込みを止めて、次のデータ位置へ光ピックアップを進めることになる。その他の構成及び動作は実施例１もしくは実施例２と同様である
【００４０】この実施例３においては、ＤＲＡＭ１１１に書き込まれているデータの残量に応じて同じ位置のデータの読み込みを停止するので、データエラーが解消されないために音切れを起こしたり再生が止まってしまうことがない」
　（ｅ）図１、３乃至６には、上記（ｃ）及び（ｄ）等の記載により説明される、ＭＤプレーヤの構成及び動作フローチャートが記載されている。
　
　上記摘示事項及び図面を総合勘案すると、引用例には、次の発明（以下、「引用発明」という。）が記載されているものと認める。
「光ピックアップで読み出された信号から、レーザ光の正確なトレースに必要なサーボ信号とデータ再生のためのＲＦ信号を出力するＲＦアンプ、
ＭＤでも特に録音・再生用の光磁気ディスクに予め刻まれているプリグルーブという溝から得られるＡＤＩＰ（アドレス・イン・プリグルーブ）信号を復調して、時間情報や回転サーボ用の信号を取り出すＡＤＩＰアドレスデコーダ、
ＲＦアンプから出力される信号を復調するＥＦＭデコーダ、
等を備えるＭＤプレーヤにおいて、
光ディスクの再生を開始すると、ＡＤＩＰアドレスデコーダから出力されるウォブル信号を回転サーボ信号生成回路に出力するように切り換えてスピンドルモータを制御して、光ピックアップによるデータの読み取りを開始し、
同一データを所定回数繰り返して再生したにも拘らずデータエラーが存在したと判断した場合には、
サーボ制御回路で用いられる回転サーボ用の信号の信号源を切り換えてＥＦＭデコーダから出力される基本クロックにして、再び同じデータ位置のデータの読み取り（リトライ）が行われ、
耐振用に設けられているＤＲＡＭに記録されているデータの残量が残り少なくなっていたら、このデータ位置でのデータの読み込みを止めて、次のデータ位置へ光ピックアップを進める
方法。」
　
３．対比
　本願補正発明を、引用発明と比較する。
　（１）引用発明における「ＭＤプレーヤ」は、「ＭＤでも特に録音・再生用の光磁気ディスクに予め刻まれているプリグルーブという溝から得られるＡＤＩＰ（アドレス・イン・プリグルーブ）信号を復調して、時間情報や回転サーボ用の信号を取り出すＡＤＩＰアドレスデコーダ」を備えるものであることから、引用発明において用いられる光磁気ディスクは、本願補正発明における「予め周期的に蛇行した記録用溝が形成され、蛇行に基づいて記録用アドレスが決定され」「る記録用光ディスク」に相当する。また、プリグルーブを備えた録音・再生用の光磁気ディスクの構成として、プリグルーブにピット情報が記録され、該情報が光ピックアップで読み出されて再生されるものが一般的であるから、引用発明において用いられるプリグルーブを備えた録音・再生用の光磁気ディスクは、本願補正発明における「記録用溝に記録されたピット情報からデータを光学的に再生する記録用光ディスク」に相当する。
　（２）引用発明は、「ＡＤＩＰアドレスデコーダから出力されるウォブル信号を回転サーボ信号生成回路に出力するように切り換えてスピンドルモータを制御し」、及び、「回転サーボ用の信号の信号源を切り換えてＥＦＭデコーダから出力される基本クロックにし」との各動作を行うものであるから、本願補正発明における「回転駆動のためのスピンドル制御モードを、記録用溝の蛇行に基づくＡＤＩＰサーボ、またはピット情報に基づくＥＦＭサーボに切換え可能なスピンドルモータ」に相当する構成を備えている。そして、引用発明における「光ディスクの再生を開始すると、ＡＤＩＰアドレスデコーダから出力されるウォブル信号を回転サーボ信号生成回路に出力するように切り換えて」は、本願補正発明における「スピンドルモータによって回転駆動される記録用光ディスクの再生開始時に、スピンドルモータのスピンドル制御モードをＡＤＩＰサーボに設定し」に相当する。
　（３）引用発明は、「光ピックアップによるデータの読み取り」の際に「データエラー」の存在を判断しているから、当該処理動作は、本願補正発明における「スピンドルモータによって回転駆動される記録用光ディスクから、光ピックアップによって光学的に再生されるデータに基づき、エラーを検出し」に相当する。そして、引用発明は、「同一データを所定回数繰り返して再生したにも拘らずデータエラーが存在したと判断した場合には、サーボ制御回路で用いられる回転サーボ用の信号の信号源を切り換えてＥＦＭデコーダから出力される基本クロックにして、再び同じデータ位置のデータの読み取り（リトライ）が行われ」るものであるから、当該処理動作は、本願補正発明における「再生中にエラーが検出された場合に、スピンドルモータのスピンドル制御モードをＥＦＭサーボに切換え、再読取り動作を行うように制御し」に相当する。
　（４）引用発明における「耐振用に設けられているＤＲＡＭに記録されているデータの残量が残り少なくなっていたら、このデータ位置でのデータの読み込みを止めて、次のデータ位置へ光ピックアップを進める」との処理は、「条件により前記再読取り動作とは異なる処理であって読み飛ばしの回避処理を行うように制御する」ものである点で本願補正発明と共通する。
　（５）上記（１）乃至（４）で対比した構成を備えた引用発明の方法は、本願補正発明における「記録用光ディスクの再生方法」に相当する。
　
　すると、本願補正発明と引用発明とは、次の点で一致する。
「予め周期的に蛇行した記録用溝が形成され、蛇行に基づいて記録用アドレスが決定され、記録用溝に記録されたピット情報からデータを光学的に再生する記録用光ディスクの再生方法において、
　回転駆動のためのスピンドル制御モードを、記録用溝の蛇行に基づくＡＤＩＰサーボ、またはピット情報に基づくＥＦＭサーボに切換え可能なスピンドルモータによって回転駆動される記録用光ディスクの再生開始時に、スピンドルモータのスピンドル制御モードをＡＤＩＰサーボに設定し、
　スピンドルモータによって回転駆動される記録用光ディスクから、光ピックアップによって光学的に再生されるデータに基づき、エラーを検出し、
　再生中にエラーが検出された場合に、スピンドルモータのスピンドル制御モードをＥＦＭサーボに切換え、再読取り動作を行うように制御し、
　条件により前記再読取り動作とは異なる処理であって読み飛ばしの回避処理を行うように制御する記録用光ディスクの再生方法。」
　
　一方で、両者は、次の各点で相違する。
　（Ａ）上記「読み飛ばしの回避処理を行うように制御する」ための「条件」が、本願補正発明では「スピンドル制御モードをＥＦＭサーボに切換えた後の再読取り動作で、エラーが検出されると」というものであるのに対し、引用発明では「耐振用に設けられているＤＲＡＭに記録されているデータの残量が残り少なくなっていたら」というものである点。
　（Ｂ）本願補正発明では上記「読み飛ばしの回避処理を行うように制御する」ことを「該スピンドル制御モードをＡＤＩＰサーボに切換た後」に行うのに対し、引用発明では当該手順を設けていない点。
　
４．判断
　そこで、上記各相違点について検討する。
　（相違点Ａについて）
　引用発明では、耐振用に設けられているＤＲＡＭに記録されているデータの残量が残り少なくなるまでＡＤＩＰサーボ及びＥＦＭサーボの切換による再読み取り動作が行われるものであるが、当該切換による再読み取り動作をどの程度まで行うかは、必要とする読み取り精度や消費電力等に応じて当業者が適宜設定することにすぎない。してみると、本願補正発明のようにＡＤＩＰサーボ及びＥＦＭサーボの各々でエラーが検出された時点で再読み取り動作を止めて、読み飛ばしの回避処理に移行する態様は、当業者が格別の困難なく選定し得るものである。
　
　（相違点Ｂについて）
　引用発明では、読み飛ばしの回避処理により次のデータを読み取る際に、必ずしもＡＤＩＰサーボに設定されているものではないが、引用例には、サーボの切替を行う基本構成で引用発明と共通する実施例１において、「エラーがある時にのみ基本クロックによって回転サーボを制御するものであるので、通常はウォブリング信号を用いていて、必要のあるときのみに基本クロックを用いて回転サーボを制御することができる」（上記２．（ｄ）の段落【００３３】）と、ＡＤＩＰサーボを通常（エラーがない時に）用いる点が示されているところ、これを勘案しての、引用発明において、読み飛ばしの回避処理により次のエラー検出前のデータを読み取る際に、ＡＤＩＰサーボに切り換える程度の設計変更を加えることは、当業者が格別の困難なく着想しうることである。
　そして、上記ＡＤＩＰサーボへの切換処理は、次データの読み取りのためのものであり、上記読み飛ばしの回避処理とは直接関係しない点に基づけば、前記両処理の順序の前後は任意に設定され得るものであるから、上記読み飛ばしの回避処理を上記ＡＤＩＰサーボへの切換の後に順序付けることは、当業者が適宜設計することにすぎない。
　
　そして、本願補正発明の奏する効果は、引用例から、当業者が十分に予測できたものであって、格別なものとはいえない。
　
　なお、審判請求人は、請求の理由において、「引用例１（特開平８−１１５５６３号公報）・・・のディスク装置では、傷がついている位置で何度もデコーダが切換えられ、デコーダが切換られるたびに読取動作を行われ、いわゆる無限ループに陥り、読取が中断された状態となる。」と、本願補正発明等との相違を主張するものである。
　しかしながら、上記「３．対比（４）」に記載したとおり、引用発明は「耐振用に設けられているＤＲＡＭに記録されているデータの残量が残り少なくなっていたら、このデータ位置でのデータの読み込みを止めて、次のデータ位置へ光ピックアップを進める」ものであり、無限ループに陥るものではなく、上記「４．判断」に記載したとおり、当該有限の処理構成において、再読み取り動作をどの程度まで行うかは、必要とする読み取り精度や消費電力等に応じて当業者が適宜設定することにすぎないと判断されるものであるから、審判請求人の主張は採用できない。
　
　したがって、本願補正発明は、その出願前に頒布された刊行物である引用例に記載された発明に基づいて、当業者が容易に発明をすることができたものであるから、特許法第２９条第２項の規定により特許出願の際独立して特許を受けることができないものである。
　
５．本件補正についてのむすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するものであり、同法第１５９条第１項において読み替えて準用する同法第５３条第１項の規定により却下すべきものである。
　
第３　本願発明について
１．本願発明
　平成１８年１１月２４日付けの手続補正は上記のとおり却下されたので、本願の請求項２に係る発明（以下、「本願発明」という。）は、平成１８年８月２８日付け手続補正書の特許請求の範囲の請求項２に記載された事項によって特定される、次のとおりのものである。
「【請求項２】
　予め周期的に蛇行した記録用溝が形成され、蛇行に基づいて記録用アドレスが決定され、記録用溝に記録されたピット情報からデータを光学的に再生する記録用光ディスクの再生方法において、
　回転駆動のためのスピンドル制御モードを、記録用溝の蛇行に基づくＡＤＩＰサーボ、またはピット情報に基づくＥＦＭサーボに切換え可能なスピンドルモータによって回転駆動される記録用光ディスクの再生開始時に、スピンドルモータのスピンドル制御モードをＡＤＩＰサーボに設定し、
　スピンドルモータによって回転駆動される記録用光ディスクから、光学的に再生されるデータに基づき、エラーを検出し、
　再生中にエラーが検出された場合に、スピンドルモータのスピンドル制御モードをＥＦＭサーボに切換え、再読取り動作を行うように制御し、
　スピンドル制御モードをＥＦＭサーボに切換えた後の再読取り動作で、エラーが検出されると、該スピンドル制御モードをＡＤＩＰサーボに設定することを特徴とする記録用光ディスクの再生方法。」
　
２．引用例
　原査定の拒絶の理由に引用された引用例及びその記載事項は、上記「第２　［理由］２．」において記載したとおりである。
　
３．対比・判断
　本願発明は、上記「第２　［理由］」で検討した本願補正発明に対し、「光ピックアップによって光学的に再生されるデータ」及び「ＡＤＩＰサーボに切換た後、さらに前記再読取り動作とは異なる処理であって読み飛ばしの回避処理を行うように制御する」なる限定を省いたものである。
　そうすると、本願発明を特定するために必要な事項を全て含み、さらに他の事項を付加したものに相当する本願補正発明が、上記「第２　［理由］４．」に記載したとおり、引用例に記載された発明に基づいて当業者が容易に発明をすることができたものであるから、本願発明も、同様の理由により、当業者が容易に発明をすることができたものである。
　
　なお、審判請求人は、平成２０年１２月１日付けの回答書において、特許請求の範囲の補正を要望するものであるが、平成１８年法律第５５号改正附則第３条第１項によりなお従前の例によるとされる同法による改正前の特許法第１７条の２第１項に規定される、明細書、特許請求の範囲又は図面について補正をすることができる時期に該当せず、また、本件出願は、上記「第２　［理由］４．」に記載した理由により拒絶されるものであって、原査定の理由と異なる拒絶理由を発見しないから、補正の機会は与えるに及ばない。
　
４．むすび
　以上のとおり、本願の請求項２に記載された発明は、その出願前に頒布された刊行物に記載された発明に基づいて当業者が容易に発明をすることができたものであるから、特許法第２９条第２項の規定により特許を受けることができない。
　したがって、本願は、その余の請求項について論及するまでもなく、拒絶すべきものである。
　
　よって、結論のとおり審決する。